(57)【要約】【課題】複数のプレビュー画像から印刷条件の設定に用いられるプレビュー画像が選択される際に生じるユーザーの手間を軽減可能な画像処理装置、及び印刷条件設定方法を提供すること。【解決手段】画像処理装置は、印刷条件についての複数の候補に対応する複数のプレビュー画像２１のうち予め設定された絞込条件を充足する第１の候補各々に対応するプレビュー画像２９を表示させる第１表示制御部と、第１表示制御部によって表示されたプレビュー画像２９のうちユーザー操作によって選択されたプレビュー画像２９に対応する第１の候補に基づいて印刷条件を設定する設定処理部と、を備える。【選択図】図６
2020023098.tif 000002
【特許請求の範囲】
【請求項１】
印刷条件についての複数の候補に対応する複数のプレビュー画像のうち予め設定された絞込条件を充足する第１の候補各々に対応する第１のプレビュー画像を表示させる第１表示制御部と、
前記第１表示制御部によって表示された前記第１のプレビュー画像のうちユーザー操作によって選択された前記第１のプレビュー画像に対応する前記第１の候補に基づいて前記印刷条件を設定する設定処理部と、
を備える画像処理装置。
【請求項２】
前記複数のプレビュー画像を表示させる第２表示制御部を備え、
前記第１表示制御部は、前記第２表示制御部による前記複数のプレビュー画像の表示後に受け付けられる前記絞込条件の設定操作に応じて、前記複数のプレビュー画像に替えて前記第１の候補各々に対応する前記第１のプレビュー画像を表示させる、
請求項１に記載の画像処理装置。
【請求項３】
前記複数の候補における候補の数が予め定められた基準数以下の場合に、前記複数のプレビュー画像を表示させる第２表示制御部を備え、
前記第１表示制御部は、前記複数の候補における候補の数が前記基準数を超える場合に、前記第１の候補各々に対応する前記第１のプレビュー画像を表示させる、
請求項１に記載の画像処理装置。
【請求項４】
前記第１表示制御部は、前記第１の候補が１つである場合に、当該第１の候補に基づいて当該第１の候補とは内容が異なる第２の候補を生成して、前記第１の候補に対応する前記第１のプレビュー画像とともに前記第２の候補各々に対応する第２のプレビュー画像を表示させ、
前記設定処理部は、前記第１表示制御部によって表示された前記第１のプレビュー画像及び前記第２のプレビュー画像のうちユーザー操作によって選択されたいずれかのプレビュー画像に対応する候補に基づいて前記印刷条件を設定する、
請求項１〜３のいずれかに記載の画像処理装置。
【請求項５】
印刷履歴に基づいて前記印刷条件についての候補を生成する生成処理部を備え、
前記複数の候補は、前記生成処理部によって生成された候補を含む、
請求項１〜４のいずれかに記載の画像処理装置。
【請求項６】
印刷条件についての複数の候補に対応する複数のプレビュー画像のうち予め設定された絞込条件を充足する第１の候補各々に対応する第１のプレビュー画像を表示させることと、
表示された前記第１のプレビュー画像のうちユーザー操作によって選択された前記第１のプレビュー画像に対応する前記第１の候補に基づいて前記印刷条件を設定することと、
を含む印刷条件設定方法。
【発明の詳細な説明】
【技術分野】
【０００１】
本発明は、印刷条件を設定可能な画像処理装置、及び印刷条件設定方法に関する。
【背景技術】
【０００２】
プリンターのような画像処理装置では、予め設定された印刷条件に従って印刷処理が実行される。また、前記印刷条件についての２つの候補に対応する２つのプレビュー画像を表示して、ユーザーによって選択されたプレビュー画像に対応する候補に基づいて前記印刷条件を設定可能な画像形成装置が関連技術として知られている（特許文献１参照）。
【先行技術文献】
【特許文献】
【０００３】
【特許文献１】特開２００８−３０４７０９号公報
【発明の概要】
【発明が解決しようとする課題】
【０００４】
ところで、上記関連技術に係る画像形成装置において、前記印刷条件についての候補に対応するプレビュー画像の数が多くなると、ユーザーにおいて、前記印刷条件の設定に用いられるプレビュー画像を選択するための個々のプレビュー画像の確認作業が手間になる。
【０００５】
本発明の目的は、複数のプレビュー画像から印刷条件の設定に用いられるプレビュー画像が選択される際に生じるユーザーの手間を軽減可能な画像処理装置、及び印刷条件設定方法を提供することにある。
【課題を解決するための手段】
【０００６】
本発明の一の局面に係る画像処理装置は、第１表示制御部と、設定処理部とを備える。前記第１表示制御部は、印刷条件についての複数の候補に対応する複数のプレビュー画像のうち予め設定された絞込条件を充足する第１の候補各々に対応する第１のプレビュー画像を表示させる。前記設定処理部は、前記第１表示制御部によって表示された前記第１のプレビュー画像のうちユーザー操作によって選択された前記第１のプレビュー画像に対応する前記第１の候補に基づいて前記印刷条件を設定する。
【０００７】
本発明の他の局面に係る印刷条件設定方法は、印刷条件についての複数の候補に対応する複数のプレビュー画像のうち予め設定された絞込条件を充足する第１の候補各々に対応する第１のプレビュー画像を表示させることと、表示された前記第１のプレビュー画像のうちユーザー操作によって選択された前記第１のプレビュー画像に対応する前記第１の候補に基づいて前記印刷条件を設定することと、を含む。
【発明の効果】
【０００８】
本発明によれば、複数のプレビュー画像から印刷条件の設定に用いられるプレビュー画像が選択される際に生じるユーザーの手間を軽減可能な画像処理装置、及び印刷条件設定方法が実現される。
【図面の簡単な説明】
【０００９】
【図１】図１は、本発明の実施形態に係る画像処理装置の構成を示す図である。
【図２】図２は、本発明の実施形態に係る画像処理装置で表示される選択画面の一例を示す図である。
【図３】図３は、図２の選択画面の表示が変更された状態を示す図である。
【図４】図４は、図２の選択画面の表示が変更された状態を示す図である。
【図５】図５は、本発明の実施形態に係る画像処理装置で表示される絞込条件設定画面の一例を示す図である。
【図６】図６は、図２の選択画面の表示が変更された状態を示す図である。
【図７】図７は、本発明の実施形態に係る画像処理装置で表示される表示条件設定画面の一例を示す図である。
【図８】図８は、図２の選択画面の表示が変更された状態を示す図である。
【図９】図９は、本発明の実施形態に係る画像処理装置で実行される印刷制御処理の一例を示すフローチャートである。
【図１０】図１０は、本発明の実施形態に係る画像処理装置で実行される印刷条件設定処理の一例を示すフローチャートである。
【図１１】図１１は、本発明の実施形態に係る画像処理装置で実行される表示変更処理の一例を示すフローチャートである。
【図１２】図１２は、図２の選択画面の表示が変更された状態を示す図である。
【発明を実施するための形態】
【００１０】
以下、添付図面を参照しながら、本発明の実施形態について説明する。なお、以下の実施形態は、本発明を具体化した一例であって、本発明の技術的範囲を限定するものではない。
【００１１】
［画像処理装置１の構成］
本発明の実施形態に係る画像処理装置１は、原稿から画像データを読み取るスキャン機能、及び画像データに基づいて画像を形成するプリント機能と共に、ファクシミリ機能、及びコピー機能などの複数の機能を有する複合機である。
【００１２】
図１に示されるように、画像処理装置１は、操作表示部１０、ＡＤＦ（自動原稿搬送装置）１１、画像読取部１２、画像形成部１３、通信部１４、記憶部１５、及び制御部１６を備える。
【００１３】
なお、画像処理装置１は、ファクシミリ装置又はコピー機であってもよい。また、画像処理装置１は、操作表示部１０、画像形成部１３、通信部１４、記憶部１５、及び制御部１６を備えるプリンターであってもよい。また、画像処理装置１は、操作表示部１０、通信部１４、記憶部１５、及び制御部１６を備えるパーソナルコンピューター、ノートパソコン、スマートフォン、又はタブレット端末であってもよい。
【００１４】
操作表示部１０は、制御部１６からの制御指示に応じて各種の情報を表示する液晶ディスプレーなどの表示部、及びユーザー操作に応じて制御部１６に各種の情報を入力する操作キー又はタッチパネルなどの操作部を有する。
【００１５】
ＡＤＦ１１は、原稿セット部、複数の搬送ローラー、原稿押さえ、及び排紙部を備え、画像読取部１２によって読み取られる原稿を搬送する。
【００１６】
画像読取部１２は、原稿台、光源、複数のミラー、光学レンズ、及びＣＣＤを備え、原稿から画像データを読み取ることが可能である。
【００１７】
画像形成部１３は、画像データに基づいてシートに画像を形成する印刷処理を実行することが可能である。例えば、画像形成部１３は、複数の画像形成ユニット、光走査装置、中間転写装置、二次転写ローラー、及び定着装置を備え、電子写真方式でカラー又はモノクロの画像を形成する。なお、画像形成部１３は、インクジェット方式などの他の画像形成方式で画像を形成するものであってもよい。
【００１８】
通信部１４は、外部の通信機器との間で、有線又は無線によるデータ通信を実行することが可能な通信インターフェイスである。
【００１９】
記憶部１５は、不揮発性の記憶装置である。例えば、記憶部１５は、フラッシュメモリー及びＥＥＰＲＯＭ（登録商標）などの不揮発性メモリー、ＳＳＤ（ソリッドステートドライブ）、並びにＨＤＤ（ハードディスクドライブ）などの記憶装置である。
【００２０】
制御部１６は、ＣＰＵ１６Ａ、ＲＯＭ１６Ｂ、及びＲＡＭ１６Ｃなどの制御機器を備える。ＣＰＵ１６Ａは、各種の演算処理を実行するプロセッサーである。ＲＯＭ１６Ｂは、ＣＰＵ１６Ａに各種の処理を実行させるための制御プログラムなどの情報が予め記憶される不揮発性の記憶装置である。ＲＡＭ１６Ｃは、揮発性の記憶装置であって、ＣＰＵ１６Ａが実行する各種の処理の一時記憶メモリー（作業領域）として使用される。制御部１６では、ＣＰＵ１６ＡによりＲＯＭ１６Ｂに予め記憶された各種の制御プログラムが実行される。これにより、画像処理装置１が制御部１６により統括的に制御される。なお、制御部１６は、集積回路（ＡＳＩＣ）などの電子回路で構成されたものであってもよく、画像処理装置１を統括的に制御するメイン制御部とは別に設けられた制御部であってもよい。
【００２１】
制御部１６は、ユーザー操作に応じて前記印刷処理の実行条件（以下、「印刷条件」と呼称する。）を設定する。具体的に、制御部１６は、図１に示されるように、認証処理部１６１、画面表示部１６２、設定処理部１６３、表示変更部１６４、及び生成処理部１６５を含む。ここに、画面表示部１６２が、本発明における第２表示制御部の一例である。また、表示変更部１６４が、本発明における第１表示制御部の一例である。
【００２２】
例えば、画像処理装置１では、制御部１６のＣＰＵ１６Ａに後述の印刷制御処理（図９のフローチャート参照）を実行させるための印刷制御プログラムが予め記憶部１５に記憶されている。なお、前記印刷制御プログラムは、ＣＤ、ＤＶＤ、フラッシュメモリーなどのコンピューター読み取り可能な記録媒体に記録されており、前記記録媒体から読み取られて記憶部１５にインストールされてもよい。また、前記印刷制御プログラムは、外部のサーバーが備える記憶装置に記憶されており、当該外部のサーバーからダウンロードされて記憶部１５にインストールされてもよい。
【００２３】
そして、制御部１６は、ＣＰＵ１６Ａを用いて記憶部１５に記憶されている前記印刷制御プログラムを実行することで、認証処理部１６１、画面表示部１６２、設定処理部１６３、表示変更部１６４、及び生成処理部１６５として機能する。
【００２４】
ここで、画像処理装置１で設定可能な前記印刷条件の各項目について説明する。画像処理装置１では、「濃度設定」、「カラーバランス設定」、「色相設定」、「彩度設定」、「シャープネス設定」、「画質設定」、「地色設定」、及び「エコプリント設定」（図５参照）の８つの項目について、それぞれ設定値を定めることで、前記印刷条件を設定することが可能である。
【００２５】
「濃度設定」は、シートに印刷される画像の濃度に関する項目である。「濃度設定」の設定値が初期値から変更されると、印刷対象の画像データに含まれる画像の濃度が変更後の設定値に対応する濃度となるように、当該画像データに対して画像処理が実行される。「カラーバランス設定」は、シートに印刷される画像に含まれる各色（シアン、マゼンタ、イエロー、及びブラック）の強弱に関する項目である。「カラーバランス設定」の設定値が初期値から変更されると、印刷対象の画像データに含まれる画像の色が変更後の設定値に対応する色となるように、当該画像データに対して画像処理が実行される。
【００２６】
「色相設定」は、シートに印刷される画像の色相に関する項目である。「色相設定」の設定値が初期値から変更されると、印刷対象の画像データに含まれる画像の色が変更後の設定値に対応する色となるように、当該画像データに対して画像処理が実行される。「彩度設定」は、シートに印刷される画像の彩度に関する項目である。「彩度設定」の設定値が初期値から変更されると、印刷対象の画像データに含まれる画像の色が変更後の設定値に対応する色となるように、当該画像データに対して画像処理が実行される。
【００２７】
「シャープネス設定」は、シートに印刷される画像の輪郭の強弱に関する項目である。「シャープネス設定」の設定値が初期値から変更されると、印刷対象の画像データに含まれる画像の輪郭が変更後の設定値に対応する輪郭となるように、当該画像データに対して画像処理が実行される。「画質設定」は、シートに印刷される画像の種類（文字画像、写真画像など）に関する項目である。「画質設定」の設定値が初期値から変更されると、印刷対象の画像データに対して、変更後の設定値が示す画像の種類に適した画像処理が実行される。
【００２８】
「地色設定」は、シートに印刷される画像に含まれる原稿の地色の除去に関する項目である。「地色設定」の設定値が初期値から変更されると、印刷対象の画像データに含まれる原稿の地色が変更後の設定値に応じて薄くなるように、当該画像データに対して画像処理が実行される。「エコプリント設定」は、前記印刷処理におけるトナー消費量の節約に関する項目である。「エコプリント設定」の設定値が初期値から変更されると、印刷対象の画像データに対して、印刷時のトナーの消費量が低減するように画像処理が実行される。
【００２９】
認証処理部１６１は、予め定められた認証操作に応じてユーザーを認証するログイン処理を実行する。
【００３０】
例えば、画像処理装置１では、画像処理装置１のユーザー各々に対応する認証情報が予め記憶部１５に記憶されている。前記認証情報は、画像処理装置１によるユーザーの認証に用いられる情報である。例えば、前記認証情報は、ユーザー名及びパスワードなどである。
【００３１】
そして、認証処理部１６１は、操作表示部１０に前記認証操作を行うことが可能な認証画面を必要に応じて表示させて、当該認証画面においてユーザーによる前記認証操作を受け付ける。例えば、前記認証操作は、ユーザー名及びパスワードなどのログイン情報の入力操作である。その後、認証処理部１６１は、操作表示部１０から入力された前記ログイン情報が記憶部１５に記憶されている前記認証情報に含まれている場合に認証完了と判断し、ユーザーを画像処理装置１にログインさせる。なお、認証処理部１６１は、操作表示部１０に対するログアウト操作が行われた場合、予め設定された時間が経過した場合、又は他のユーザーをログインさせる場合に、現在ログイン中のユーザーをログアウトさせるログアウト処理を実行する。
【００３２】
画面表示部１６２は、図２に示される選択画面２０を操作表示部１０に表示させる。
【００３３】
ここで、選択画面２０は、前記印刷条件の設定に用いられる画面である。選択画面２０には、前記印刷条件についての複数の候補に対応する複数のプレビュー画像２１が含まれる。また、選択画面２０には、選択画面２０における表示内容の変更に用いられる第１操作キー２２、第２操作キー２３、第３操作キー２４、及び第４操作キー２５が含まれる。
【００３４】
例えば、画像処理装置１では、前記印刷条件の候補に対応する候補データを予め登録しておくことが可能である。前記候補データは、前記印刷条件に含まれる各項目の設置値を示す設定値情報を含むデータである。例えば、記憶部１５には、画像処理装置１にログイン可能なユーザー各々に対応する記憶領域が設けられている。ユーザーは、画像処理装置１にログインして予め定められた登録操作を行うことで、任意の内容の前記候補データを自身に対応する前記記憶領域に格納することが可能である。
【００３５】
そして、画面表示部１６２は、以下の手順に従って、選択画面２０を操作表示部１０に表示させる。まず、画面表示部１６２は、画像処理装置１にログインしているユーザーを特定する。次に、画面表示部１６２は、ログインユーザーに対応する前記記憶領域から、当該記憶領域に格納されている前記候補データを取得する。例えば、画面表示部１６２は、ログインユーザーに対応する前記記憶領域に格納されている前記候補データの全部を取得する。なお、画面表示部１６２は、ログインユーザーに対応する前記記憶領域に格納されている前記候補データのうち、格納タイミングが新しい順に選択された予め定められた数の前記候補データを取得してもよい。
【００３６】
次に、画面表示部１６２は、取得された前記候補データ及び印刷対象の画像データに基づいて、プレビュー画像２１を生成する。また、画面表示部１６２は、後段で説明する生成処理部１６５によって生成された前記候補データ及び印刷対象の画像データに基づいて、プレビュー画像２１を生成する。以下、生成処理部１６５によって生成された前記候補データに対応するプレビュー画像２１を、プレビュー画像２６（図２参照）と呼称することがある。
【００３７】
次に、画面表示部１６２は、生成されたプレビュー画像２１各々を含む選択画面２０を生成する。例えば、画面表示部１６２は、生成されたプレビュー画像２１の数に応じた縮小率でプレビュー画像２１各々を縮小して、縮小後のプレビュー画像２１が所定の位置に配置された選択画面２０を生成する。なお、画面表示部１６２は、生成されたプレビュー画像２１の数が予め定められた上限数を超える場合は、生成されたプレビュー画像２１を複数の選択画面２０に分散して配置する。この場合、画面表示部１６２は、プレビュー画像２６を最初に表示される選択画面２０に配置する。
【００３８】
そして、画面表示部１６２は、生成された選択画面２０を操作表示部１０に表示させる。図２に示されるように、プレビュー画像２１は、プレビュー画像２１各々の識別に用いられる識別番号（１〜８）を含む。また、選択画面２０において、プレビュー画像２６は、プレビュー画像２１と識別可能に表示される。例えば、プレビュー画像２６は、図２に示されるように、プレビュー画像２１との識別に用いられる文字情報（「おすすめ」）を含む。なお、図２では、プレビュー画像２１各々に対応する前記印刷条件の候補の内容が互いに異なることを示すために、プレビュー画像２１各々に互いに異なるハッチングを施している。
【００３９】
設定処理部１６３は、選択画面２０に含まれる複数のプレビュー画像２１のうち、ユーザー操作によって選択されたプレビュー画像２１に対応する前記印刷条件の候補に基づいて前記印刷条件を設定する。
【００４０】
例えば、設定処理部１６３は、選択画面２０においていずれか一つのプレビュー画像２１が選択された場合に、選択されたプレビュー画像２１に対応する前記印刷条件の候補の内容の調整に用いられる調整画面を操作表示部１０に表示させる。例えば、前記調整画面は、選択されたプレビュー画像２１と、当該プレビュー画像２１に対応する前記印刷条件の候補の内容が変更可能に表示される表示欄とを含む。例えば、設定処理部１６３は、前記表示欄に表示されるいずれかの前記印刷条件の項目の設定値が変更されると、前記調整画面に含まれるプレビュー画像２１にその変更が反映されるように、当該プレビュー画像２１を変更する。
【００４１】
また、設定処理部１６３は、前記調整画面におけるユーザー操作により調整終了が指示されると、調整前後の前記印刷条件の候補各々に対応するプレビュー画像２１を含む確認画面を操作表示部１０に表示させる。そして、設定処理部１６３は、前記確認画面におけるユーザー操作に応じて、調整後の前記印刷条件の候補を前記印刷条件として設定する。
【００４２】
なお、設定処理部１６３は、前記調整画面におけるユーザー操作により調整終了が通知された場合に、調整後の前記印刷条件の候補を前記印刷条件として設定してもよい。また、設定処理部１６３は、選択画面２０においていずれか一つのプレビュー画像２１が選択された場合に、選択されたプレビュー画像２１に対応する前記印刷条件の候補を前記印刷条件として設定してもよい。
【００４３】
ところで、選択画面２０に表示されるプレビュー画像２１の数が多くなると、ユーザーにおいて、前記印刷条件の設定に用いられるプレビュー画像２１を選択するための個々のプレビュー画像２１の確認作業が手間になる。これに対し、本発明の実施形態に係る画像処理装置１では、以下に説明するように、複数のプレビュー画像２１から前記印刷条件の設定に用いられるプレビュー画像２１が選択される際に生じるユーザーの手間を軽減することが可能である。
【００４４】
表示変更部１６４は、ユーザー操作に応じて、選択画面２０の表示内容を変更する。
【００４５】
具体的に、表示変更部１６４は、選択画面２０において第１操作キー２２が操作された場合に、プレビュー画像２１の表示数の入力に用いられる表示数入力欄を選択画面２０上に表示させる。そして、表示変更部１６４は、前記表示数入力欄における入力結果に基づいて、１つの選択画面２０におけるプレビュー画像２１の表示数を変更する。また、表示変更部１６４は、１つの選択画面２０におけるプレビュー画像２１の表示数の変更に応じて、選択画面２０におけるプレビュー画像２１の表示サイズを変更する。具体的に、表示変更部１６４は、１つの選択画面２０におけるプレビュー画像２１の表示数が少ないほど、選択画面２０におけるプレビュー画像２１の表示サイズを大きくする。
【００４６】
図３に、前記表示数入力欄に「３」が入力された場合の、選択画面２０の変更例を示す。図３に示される選択画面２０には、当該選択画面２０には表示されないプレビュー画像２１の表示に用いられるページ切替キー２７、２８が含まれる。ページ切替キー２７は、現在表示されている選択画面２０から前ページに対応する他の選択画面２０への表示切替に用いられる。ページ切替キー２８は、現在表示されている選択画面２０から次ページに対応する他の選択画面２０への表示切替に用いられる。
【００４７】
また、表示変更部１６４は、選択画面２０において第２操作キー２３が操作された場合に、プレビュー画像２１の識別番号の入力に用いられる識別番号入力欄を選択画面２０上に表示させる。そして、表示変更部１６４は、前記識別番号入力欄における入力結果に基づいて、ユーザーによって指定されたプレビュー画像２１のみを選択画面２０に表示させる。また、表示変更部１６４は、ユーザーによって指定されたプレビュー画像２１の数に応じて、選択画面２０におけるプレビュー画像２１の表示サイズを変更する。図４に、前記識別番号入力欄に「１、３、６」が入力された場合の、選択画面２０の変更例を示す。
【００４８】
また、表示変更部１６４は、選択画面２０において第３操作キー２４が操作された場合に、図５に示される絞込条件設定画面４０を操作表示部１０に表示させる。
【００４９】
ここで、絞込条件設定画面４０は、選択画面２０に表示されるプレビュー画像２１の数を絞り込むための絞込条件の設定に用いられる画面である。具体的に、絞込条件設定画面４０では、「指定された項目の設定値のみが同じであって、他の項目各々の設定値が異なっていること」、及び「指定された項目の設定値のみが異なっていて、他の項目各々の設定値が同じであること」のいずれかの前記絞込条件を設定することが可能である。
【００５０】
図５に示されるように、絞込条件設定画面４０には、項目の指定に用いられる操作キー４１〜４８、及び前記絞込条件の内容の指定に用いられる操作キー４９、５０が含まれる。操作キー４１〜４８は、それぞれ、「濃度設定」、「カラーバランス設定」、「色相設定」、「彩度設定」、「シャープネス設定」、「画質設定」、「地色設定」、及び「エコプリント設定」に対応している。操作キー４１〜４８のいずれかが操作されると、操作された操作キーの表示態様が、「非指定状態」を示す表示態様から「指定状態」を示す表示態様に変更される。なお、図５では、操作キー４５が「指定状態」であることを示すために、操作キー４５が破線によって示されている。操作キー４１〜４８のいずれかが操作された状態で、操作キー４９、５０のいずれかが操作されると、前記絞込条件が設定される。例えば、操作キー４５が操作された状態で操作キー５０が操作されると、「シャープネス設定の設定値のみが異なっていて、他の項目各々の設定値が同じであること」という前記絞込条件が設定される。
【００５１】
表示変更部１６４は、絞込条件設定画面４０において前記絞込条件が設定された場合に、当該絞込条件に基づいて選択画面２０の表示内容を変更する。具体的に、表示変更部１６４は、絞込条件設定画面４０が表示される直前に選択画面２０に表示されていたプレビュー画像２１に替えて、前記絞込条件を充足する前記印刷条件の候補（本発明の第１の候補の一例）各々に対応するプレビュー画像２１（本発明の第１のプレビュー画像の一例）のみを選択画面２０に表示させる。以下、前記絞込条件を充足する前記印刷条件の候補各々に対応するプレビュー画像２１を、プレビュー画像２９（図６参照）と呼称することがある。また、表示変更部１６４は、プレビュー画像２９の数に応じて、選択画面２０におけるプレビュー画像２９の表示サイズを変更する。図６に、絞込条件設定画面４０において「シャープネス設定の設定値のみが異なっていて、他の項目各々の設定値が同じであること」という前記絞込条件が設定された場合の、選択画面２０の変更例を示す。
【００５２】
なお、画像処理装置１において、前記絞込条件を予め登録しておくことが可能であってもよい。例えば、ユーザーは、画像処理装置１にログインして予め定められた操作を行うことで、任意の内容の前記絞込条件を自身に対応する前記記憶領域に格納することが可能であってよい。この場合、表示変更部１６４は、絞込条件設定画面４０の表示に替えて、ログイン中のユーザーに対応する前記記憶領域から前記絞込条件を取得してもよい。
【００５３】
また、表示変更部１６４は、選択画面２０において第４操作キー２５が操作された場合に、図７に示される表示条件設定画面６０を操作表示部１０に表示させる。
【００５４】
ここで、表示条件設定画面６０は、選択画面２０に表示されるプレビュー画像２１各々の一部を拡大して表示するための拡大率及び拡大位置の設定に用いられる画面である。
【００５５】
図７に示されるように、表示条件設定画面６０には、画像表示欄６１、操作キー６２〜６６が含まれる。画像表示欄６１には、選択画面２０に表示されるプレビュー画像２１のいずれかが表示される。操作キー６２は、前記拡大率の設定に用いられる。例えば、表示変更部１６４は、操作キー６２への操作に応じて、予め定められた複数の倍率をリスト形式で表示させる。ユーザーは、リスト形式で表示された複数の倍率のいずれかを選択することで、前記拡大率を設定することが可能である。表示変更部１６４は、前記拡大率が設定されると、設定された前記拡大率に応じて画像表示欄６１に表示されるプレビュー画像２１を拡大又は縮小する。操作キー６３〜６６は、それぞれ上、左、下、右に対応しており、前記拡大位置の設定に用いられる。具体的に、表示変更部１６４は、操作キー６３〜６６のいずれかが操作されると、画像表示欄６１によるプレビュー画像２１における表示位置を、操作された操作キーに対応する方向へ移動させる。
【００５６】
表示変更部１６４は、表示条件設定画面６０において前記拡大率及び前記拡大位置が設定された場合に、設定された前記拡大率及び前記拡大位置に基づいて、選択画面２０に含まれるプレビュー画像２１各々を拡大表示させる。図８に、表示条件設定画面６０において前記拡大率が３００パーセントに設定された場合の、選択画面２０の変更例を示す。
【００５７】
生成処理部１６５は、ユーザーの印刷履歴に基づいて、前記印刷条件についての候補を生成する。
【００５８】
例えば、画像処理装置１では、ログインユーザーによって前記印刷処理が実行された場合に、当該印刷処理に関する履歴情報が当該ユーザーに対応する前記記憶領域に格納される。
【００５９】
そして、生成処理部１６５は、画面表示部１６２により選択画面２０が表示される場合に、以下の手順に従って、前記候補データを生成する。まず、生成処理部１６５は、ログインユーザーに対応する前記記憶領域から、当該記憶領域への格納タイミングが新しい順に選択された予め定められた数の前記履歴情報を取得する。次に、生成処理部１６５は、取得された複数の前記履歴情報に基づいて、前記印刷条件に含まれる各項目のうち、設定値が初期値から変更された回数が予め定められた基準数以上の項目を抽出する。次に、生成処理部１６５は、抽出された項目各々について、当該項目における設定値の設定履歴から、初期値以外で使用頻度が最も高い値を特定する。そして、生成処理部１６５は、抽出された項目各々の設定値が特定された値であって、抽出されていない項目各々の設定値が初期値である前記設定値情報を含む前記候補データを生成する。なお、生成処理部１６５による前記候補データの生成手法は、以上に述べた手法に限られず、他の手法が用いられてもよい。
【００６０】
［印刷制御処理］
以下、図９を参照しつつ、画像処理装置１において制御部１６により実行される印刷制御処理の手順の一例について説明する。ここで、ステップＳ１１、Ｓ１２・・・は、制御部１６により実行される処理手順（ステップ）の番号を表している。なお、制御部１６は、操作表示部１０におけるユーザー操作に応じて、前記印刷制御処理を実行する。
【００６１】
＜ステップＳ１１＞
まず、ステップＳ１１において、制御部１６は、印刷対象の画像データを取得する。例えば、制御部１６は、原稿から画像データを読み取る読取処理の実行を画像読取部１２に指示する。
【００６２】
画像読取部１２は、制御部１６から前記読取処理の実行を指示されると、ＡＤＦ１１の前記原稿載置部に設けられた原稿センサーを用いて、当該原稿載置部に原稿が存在するか否かを判断する。そして、画像読取部１２は、前記原稿載置部に原稿が存在すると判断した場合は、ＡＤＦ１１によって搬送される原稿から画像データを読み取る第１の読取処理を実行する。また、画像読取部１２は、前記原稿載置部に原稿が存在しないと判断した場合は、前記原稿載置面に載置された原稿から画像データを読み取る第２の読取処理を実行する。画像読取部１２は、前記第１の読取処理又は前記第２の読取処理によって読み取られた画像データを制御部１６に入力する。
【００６３】
なお、制御部１６は、記憶部１５から印刷対象の画像データを取得してもよい。
【００６４】
＜ステップＳ１２＞
ステップＳ１２において、制御部１６は、前記印刷条件を設定する印刷条件設定処理を実行する。なお、前記印刷条件設定処理の具体的な内容は後段で詳述する。
【００６５】
＜ステップＳ１３＞
ステップＳ１３において、制御部１６は、ステップＳ１２で設定された前記印刷条件に従った前記印刷処理の実行を画像形成部１３に指示する。
【００６６】
画像形成部１３は、制御部１６から前記印刷処理の実行を指示されると、ステップＳ１２で設定された前記印刷条件に従って、ステップＳ１１で取得された画像データに対して各種の画像処理を実行する。そして、画像形成部１３は、画像処理後の画像データに基づいて、前記印刷処理を実行する。
【００６７】
なお、制御部１６は、外部の画像形成装置に、ステップＳ１２で設定された前記印刷条件に従った前記印刷処理の実行を指示してもよい。
【００６８】
＜ステップＳ１４＞
ステップＳ１４において、制御部１６は、ステップＳ１２で設定された前記印刷条件に対応する前記候補データを生成して、生成された前記候補データを画像処理装置１にログインしているユーザーに対応する前記記憶領域に格納する。
【００６９】
なお、制御部１６は、操作表示部１０におけるユーザー操作に応じて、ステップＳ１２で設定された前記印刷条件に対応する前記候補データの生成、及び記憶部１５への格納の処理を行ってもよい。また、ステップＳ１４の処理は省略されてもよい。
【００７０】
［印刷条件設定処理］
次に、図１０を参照しつつ、前記印刷制御処理のステップＳ１２で実行される前記印刷条件設定処理の手順の一例について説明する。
【００７１】
＜ステップＳ２１＞
まず、ステップＳ２１において、制御部１６は、前記印刷条件の候補を生成する。ここで、ステップＳ２１の処理は、制御部１６の生成処理部１６５により実行される。なお、ステップＳ２１の処理は省略されてもよい。
【００７２】
＜ステップＳ２２＞
ステップＳ２２において、制御部１６は、選択画面２０を操作表示部１０に表示させる。ここで、ステップＳ２２の処理は、制御部１６の画面表示部１６２により実行される。
【００７３】
＜ステップＳ２３＞
ステップＳ２３において、制御部１６は、選択画面２０において表示変更操作が行われたか否かを判断する。具体的に、制御部１６は、第１操作キー２２、第２操作キー２３、第３操作キー２４、及び第４操作キー２５のいずれかが操作された場合に、前記表示変更操作が行われたと判断する。
【００７４】
ここで、制御部１６は、前記表示変更操作が行われたと判断すると（Ｓ２３のＹｅｓ側）、処理をステップＳ２４に移行させる。また、前記表示変更操作が行われていなければ（Ｓ２３のＮｏ側）、制御部１６は、処理をステップＳ２５に移行させる。
【００７５】
＜ステップＳ２４＞
ステップＳ２４において、制御部１６は、選択画面２０の表示内容を変更する表示変更処理を実行する。ここで、ステップＳ２４の処理は、制御部１６の表示変更部１６４により実行される。なお、前記表示変更処理の具体的な内容は後段で詳述する。
【００７６】
＜ステップＳ２５＞
ステップＳ２５において、制御部１６は、選択画面２０の印刷を指示する印刷操作が行われたか否かを判断する。例えば、制御部１６は、操作表示部１０に含まれる予め定められた操作キーが操作された場合に、前記印刷操作が行われたと判断する。
【００７７】
ここで、制御部１６は、前記印刷操作が行われたと判断すると（Ｓ２５のＹｅｓ側）、処理をステップＳ２６に移行させる。また、前記印刷操作が行われていなければ（Ｓ２５のＮｏ側）、制御部１６は、処理をステップＳ２７に移行させる。
【００７８】
＜ステップＳ２６＞
ステップＳ２６において、制御部１６は、選択画面２０に対応する画像データを生成して、生成された画像データを印刷する前記印刷処理の実行を画像形成部１３に指示する。
【００７９】
画像形成部１３は、制御部１６から選択画面２０に対応する画像データを印刷する前記印刷処理の実行を指示されると、当該画像データに基づいて前記印刷処理を実行する。なお、ステップＳ２５及びステップＳ２６の処理は省略されてもよい。
【００８０】
＜ステップＳ２７＞
ステップＳ２７において、制御部１６は、選択画面２０に含まれるプレビュー画像２１のいずれかを選択する選択操作が行われたか否かを判断する。例えば、制御部１６は、いずれかのプレビュー画像２１へのタッチ操作が検出された場合に、前記選択操作が行われたと判断する。
【００８１】
ここで、制御部１６は、前記選択操作が行われたと判断すると（Ｓ２７のＹｅｓ側）、処理をステップＳ２８に移行させる。また、前記選択操作が行われていなければ（Ｓ２７のＮｏ側）、制御部１６は、処理をステップＳ２３に移行させる。
【００８２】
＜ステップＳ２８＞
ステップＳ２８において、制御部１６は、前記選択操作によって選択されたプレビュー画像２１に対応する前記印刷条件の候補の調整に用いられる前記調整画面を操作表示部１０に表示させる。
【００８３】
＜ステップＳ２９＞
ステップＳ２９において、制御部１６は、ステップＳ２８で表示された前記調整画面におけるユーザー操作により調整終了が指示されたか否かを判断する。
【００８４】
ここで、制御部１６は、調整終了が指示されたと判断すると（Ｓ２９のＹｅｓ側）、処理をステップＳ３０に移行させる。また、調整終了が指示されていなければ（Ｓ２９のＮｏ側）、制御部１６は、ステップＳ２９で調整終了が指示されるのを待ち受ける。
【００８５】
＜ステップＳ３０＞
ステップＳ３０において、制御部１６は、前記調整画面において前記印刷条件の候補の内容が変更されたか否かを判断する。
【００８６】
ここで、制御部１６は、前記調整画面において前記印刷条件の候補の内容が変更されたと判断すると（Ｓ３０のＹｅｓ側）、処理をステップＳ３１に移行させる。また、前記調整画面において前記印刷条件の候補の内容が変更されていなければ（Ｓ３０のＮｏ側）、制御部１６は、処理をステップＳ３３に移行させる。
【００８７】
＜ステップＳ３１＞
ステップＳ３１において、制御部１６は、前記確認画面を操作表示部１０に表示させる。
【００８８】
＜ステップＳ３２＞
ステップＳ３２において、制御部１６は、ステップＳ３１で表示された前記確認画面において、調整後の前記印刷条件の候補を前記印刷条件として設定する処理の実行が指示されたか否かを判断する。
【００８９】
ここで、制御部１６は、前記調整画面において調整後の前記印刷条件の候補を前記印刷条件として設定する処理の実行が指示されたと判断すると（Ｓ３２のＹｅｓ側）、処理をステップＳ３３に移行させる。また、前記調整画面において調整後の前記印刷条件の候補を前記印刷条件として設定する処理の実行が指示されていなければ（Ｓ３２のＮｏ側）、制御部１６は、処理をステップＳ２８に移行させる。
【００９０】
なお、ステップＳ３０〜ステップＳ３２までの処理は省略されてもよい。また、ステップＳ２８〜ステップＳ３２までの処理は省略されてもよい。
【００９１】
＜ステップＳ３３＞
ステップＳ３３において、制御部１６は、前記印刷条件を設定する。ここで、ステップＳ２８〜ステップＳ３３までの処理は、制御部１６の設定処理部１６３により実行される。
【００９２】
具体的に、制御部１６は、前記調整画面において前記印刷条件の候補の内容が変更された場合は、変更後の前記印刷条件の候補を前記印刷条件として設定する。また、制御部１６は、前記調整画面において前記印刷条件の候補の内容が変更されていない場合は、前記選択操作によって選択されたプレビュー画像２１に対応する前記印刷条件の候補を前記印刷条件として設定する。
【００９３】
［表示変更処理］
次に、図１１を参照しつつ、前記印刷条件設定処理のステップＳ２４で実行される前記表示変更処理の手順の一例について説明する。
【００９４】
＜ステップＳ４１＞
まず、ステップＳ４１において、制御部１６は、前記表示変更操作が第１操作キー２２への操作であったか否かを判断する。
【００９５】
ここで、制御部１６は、前記表示変更操作が第１操作キー２２への操作であったと判断すると（Ｓ４１のＹｅｓ側）、処理をステップＳ４２に移行させる。また、前記表示変更操作が第１操作キー２２への操作でなければ（Ｓ４１のＮｏ側）、制御部１６は、処理をステップＳ４３に移行させる。
【００９６】
＜ステップＳ４２＞
ステップＳ４２において、制御部１６は、前記表示数入力欄を選択画面２０上に表示させる。そして、制御部１６は、前記表示数入力欄における入力結果に基づいて、１つの選択画面２０におけるプレビュー画像２１の表示数を変更する。
【００９７】
＜ステップＳ４３＞
ステップＳ４３において、制御部１６は、前記表示変更操作が第２操作キー２３への操作であったか否かを判断する。
【００９８】
ここで、制御部１６は、前記表示変更操作が第２操作キー２３への操作であったと判断すると（Ｓ４３のＹｅｓ側）、処理をステップＳ４４に移行させる。また、前記表示変更操作が第２操作キー２３への操作でなければ（Ｓ４３のＮｏ側）、制御部１６は、処理をステップＳ４５に移行させる。
【００９９】
＜ステップＳ４４＞
ステップＳ４４において、制御部１６は、前記識別番号入力欄を選択画面２０上に表示させる。そして、制御部１６は、前記識別情報入力欄における入力結果に基づいて、ユーザーによって指定されたプレビュー画像２１のみを選択画面２０に表示させる。
【０１００】
＜ステップＳ４５＞
ステップＳ４５において、制御部１６は、前記表示変更操作が第３操作キー２４への操作であったか否かを判断する。
【０１０１】
ここで、制御部１６は、前記表示変更操作が第３操作キー２４への操作であったと判断すると（Ｓ４５のＹｅｓ側）、処理をステップＳ４６に移行させる。また、前記表示変更操作が第３操作キー２４への操作でなければ（Ｓ４５のＮｏ側）、制御部１６は、処理をステップＳ４７に移行させる。
【０１０２】
＜ステップＳ４６＞
ステップＳ４６において、制御部１６は、絞込条件設定画面４０を操作表示部１０に表示させる。そして、制御部１６は、絞込条件設定画面４０において前記絞込条件が設定された場合に、当該絞込条件設定画面４０が表示される直前に選択画面２０に表示されていたプレビュー画像２１に替えて、設定された前記絞込条件を充足する前記印刷条件の候補各々に対応するプレビュー画像２９のみを選択画面２０に表示させる。
【０１０３】
＜ステップＳ４７＞
ステップＳ４７において、制御部１６は、表示条件設定画面６０を操作表示部１０に表示させる。そして、制御部１６は、表示条件設定画面６０において前記拡大率及び前記拡大位置が設定された場合に、設定された前記拡大率及び前記拡大位置に基づいて選択画面２０に含まれるプレビュー画像２１各々を拡大表示させる。
【０１０４】
このように、画像処理装置１では、前記印刷条件についての複数の候補に対応する複数のプレビュー画像２１のうち、前記絞込条件を充足する候補各々に対応するプレビュー画像２９のみを表示して、表示されたプレビュー画像２９のいずれかに基づいて前記印刷条件を設定することが可能である。これにより、ユーザーが目視で確認するプレビュー画像２１の数を低減することが可能である。従って、複数のプレビュー画像２１から前記印刷条件の設定に用いられるプレビュー画像２１が選択される際に生じるユーザーの手間を軽減することが可能である。
【０１０５】
また、画像処理装置１では、前記印刷条件についての複数の候補に対応する複数のプレビュー画像２１を含む選択画面２０が表示されて、選択画面２０の表示後に受け付けられる前記絞込条件の設定操作（第３操作キー２４への操作、及び絞込条件設定画面４０における操作）に応じて、前記絞込条件を充足する候補各々に対応するプレビュー画像２９が表示される。そのため、ユーザーは、選択画面２０に表示されるプレビュー画像２１の数を認識した上で、前記絞込条件に基づくプレビュー画像２１の数の絞り込みを行うか否かを判断することが可能である。
【０１０６】
また、画像処理装置１では、ユーザーの印刷履歴に基づいて前記候補データが生成される。そのため、ユーザーの好みに適合する可能性の高い前記印刷条件の候補を当該ユーザーに提示することが可能である。
【０１０７】
［変形例］
なお、制御部１６は、生成処理部１６５を含んでいなくてもよい。
【０１０８】
また、制御部１６は、画面表示部１６２を含んでいなくてもよい。この場合、表示変更部１６４は、絞込条件設定画面４０で設定される前記絞込条件、及び画像処理装置１にログイン中のユーザーに対応する前記記憶領域に格納されている前記候補データに基づいて、前記絞込条件を充足する候補各々に対応するプレビュー画像２９のみを含む選択画面２０を表示してもよい。また、制御部１６は、前記印刷条件設定処理において、ステップＳ２１の処理の後に、前記表示変更処理のステップＳ４６の処理を実行して、その後にステップＳ２２の処理を実行してもよい。この場合、ステップＳ２２で表示される選択画面２０には、前記絞込条件を充足する候補各々に対応するプレビュー画像２９のみが表示される。
【０１０９】
また、画面表示部１６２は、ログイン中のユーザーに対応する前記記憶領域に格納されている前記候補データの数が予め定められた基準数以下の場合に、当該記憶領域に格納されている複数の前記候補データに対応する複数のプレビュー画像２１を含む選択画面２０を表示してもよい。この場合、表示変更部１６４は、ログイン中のユーザーに対応する前記記憶領域に格納されている前記候補データの数が前記基準数を超える場合に、当該記憶領域に格納されている前記候補データ、及び絞込条件設定画面４０で設定される前記絞込条件に基づいて、前記絞込条件を充足する候補各々に対応するプレビュー画像２９のみを含む選択画面２０を表示してもよい。
【０１１０】
また、前記絞込条件は、「指定された項目の設定値が指定された値以上であること」などのように、指定された項目の設定値の上限、下限、又は範囲を定めるものであってもよい。
【０１１１】
ここで、前記絞込条件の内容次第では、前記絞込条件を充足する候補の数が１つになることが考えられる。これに対し、表示変更部１６４が、前記絞込条件を充足する候補の数が１つである場合に、当該候補に基づいて、当該候補とは内容が異なる他の候補（本発明の第２の候補の一例）を生成して、当該候補に対応するプレビュー画像２９とともに、前記他の候補各々に対応するプレビュー画像３０（本発明の第２のプレビュー画像の一例）を表示させる構成が考えられる。図１２に、表示変更部１６４によるプレビュー画像２９及びプレビュー画像３０を含む選択画面２０の表示例を示す。図１２に示された選択画面２０においては、プレビュー画像３０にプレビュー画像２９とは異なることを示す文字情報（「参考画像１」、「参考画像２」）が付加されている。
【０１１２】
例えば、表示変更部１６４が、前記絞込条件を充足する１つの候補に基づいて、予め定められた特定項目の設定値だけが当該候補とは異なる一又は複数の前記他の候補を生成する構成が考えられる。例えば、前記特定項目は、前記印刷条件に含まれる項目のうち、ログインユーザーによる変更頻度が最も高い項目である。
【０１１３】
この場合、設定処理部１６３は、表示変更部１６４によって表示されたプレビュー画像２９及びプレビュー画像３０のうち、ユーザー操作によって選択されたいずれかのプレビュー画像に対応する候補に基づいて前記印刷条件を設定してよい。
【符号の説明】
【０１１４】
１      画像処理装置
１０    操作表示部
１１    ＡＤＦ
１２    画像読取部
１３    画像形成部
１４    通信部
１５    記憶部
１６    制御部
１６１  認証処理部
１６２  画面表示部
１６３  設定処理部
１６４  表示変更部
１６５  生成処理部
【図１】
2020023098.tif 000003
【図２】
2020023098.tif 000004
【図３】
2020023098.tif 000005
【図４】
2020023098.tif 000006
【図５】
2020023098.tif 000007
【図６】
2020023098.tif 000008
【図７】
2020023098.tif 000009
【図８】
2020023098.tif 000010
【図９】
2020023098.tif 000011
【図１０】
2020023098.tif 000012
【図１１】
2020023098.tif 000013
【図１２】
2020023098.tif 000014